(57)【要約】【課題】各ユーザー端末のディスプレイに表示されている画像データを利用してそれらユーザー端末の使用者の作業を低コストで確実に管理かつ監視することができる画像データ出力システムを提供する。【解決手段】画像データ出力システム１０は、インターネット１７のネットワークプロトコルの上位層を除いた下位層における通信方式を利用し、複数の使用者が操作中のノート型パソコン１１Ａ，１１Ｂ，１１Ｃやタブレット１２Ａ，１２Ｂ（各ユーザー端末）のディスプレイ画面１４，１５に現に表示されている個別画像データを各ユーザー端末がシステムサーバ１３Ａ，１３Ｂ（各管理端末）に送信しつつ、個別画像データを各管理端末が各ユーザー端末から受信し、各ユーザー端末のディスプレイ画面１４，１５に現に表示されている個別画像データを１つのグループとして各管理端末の１つのディスプレイ画面１６にリアルタイムに表示する。【選択図】図１
2018132950.tif 000002
【特許請求の範囲】
【請求項１】
複数の使用者が操作する複数のユーザー端末と、所定の管理者が操作する管理端末とから形成され、
インターネットのネットワークプロトコルの上位層を除いた下位層における通信方式を利用し、前記複数の使用者が操作中の各ユーザー端末のディスプレイ画面に現に表示されている個別画像データを各ユーザー端末が管理端末に送信しつつ、前記個別画像データを管理端末が各ユーザー端末から受信する画像データ送受信手段と、
前記各ユーザー端末から受信した各ユーザー端末のディスプレイ画面に現に表示されている個別画像データを１つのグループとして前記管理端末の１つのディスプレイ画面に現在から未来に向かって時系列かつリアルタイムに表示する画像データ表示手段とを有することを特徴とする画像データ出力システム。
【請求項２】
前記各ユーザー端末から受信した各ユーザー端末のディスプレイ画面に現に表示されている個別画像データを前記管理端末が静止画データと時系列に変化する動画データとに区分する画像データ区分手段を含み、前記画像データ送受信手段が、前記画像データ区分手段によって区分されて各ユーザー端末のディスプレイ画面に現に表示されている動画データを各ユーザー端末が管理端末に送信しつつ、その動画データを管理端末が各ユーザー端末から受信し、前記画像データ表示手段が、前記各ユーザー端末から受信した各ユーザー端末のディスプレイ画面に現に表示されている動画データを前記管理端末のディスプレイ画面に時系列かつリアルタイムに表示する請求項１に記載の画像データ出力システム。
【請求項３】
前記画像データ送受信手段が、前記画像データ区分手段によって区分されて各ユーザー端末のディスプレイ画面に現に表示されている静止画データを一度送受信した後、その静止画データが改変されるまでの間、改変前のその静止画データの再度の送受信を停止し、前記画像データ表示手段が、一度受信した改変前の静止画データが改変されるまでの間、その静止画データを前記管理端末のディスプレイ画面に継続して表示する請求項２に記載の画像データ出力システム。
【請求項４】
前記各ユーザー端末から受信した各ユーザー端末のディスプレイ画面に現に表示されている個別画像データを記憶デバイスに記憶する画像データ記憶手段を含み、前記画像データ表示手段が、前記画像データ記憶手段によって記憶された過去の個別画像データを前記管理端末のディスプレイ画面に表示する請求項１ないし請求項３いずれかに記載の画像データ出力システム。
【請求項５】
前記画像データ記憶手段によって記憶された個別画像データを前記管理者が管理端末を介して編集する画像データ編集手段を含み、前記画像データ表示手段が、前記画像データ編集手段によって編集された編集画像データを前記管理端末のディスプレイ画面に表示する請求項４に記載の画像データ出力システム。
【請求項６】
前記各ユーザー端末から受信した各ユーザー端末のディスプレイ画面に現に表示されている個別画像データを前記管理者が管理端末を介して改変する画像データ改変手段を含み、前記画像データ送受信手段が、前記画像データ改変手段によって改変されて各ユーザー端末のディスプレイ画面に現に表示されている改変後の個別画像データを各ユーザー端末が管理端末に送信しつつ、改変後の個別画像データを管理端末が各ユーザー端末から受信し、前記画像データ表示手段が、前記画像データ改変手段によって改変されて各ユーザー端末のディスプレイ画面に現に表示されている改変後の個別画像データを前記管理端末のディスプレイ画面に表示する請求項１ないし請求項５いずれかに記載の画像データ出力システム。
【請求項７】
前記画像データ記憶手段が、前記画像データ改変手段によって改変されて各ユーザー端末のディスプレイ画面に現に表示されている改変後の個別画像データを記憶し、前記画像データ表示手段が、前記画像データ記憶手段によって記憶された改変後の過去の個別画像データを前記管理端末のディスプレイ画面に表示する請求項６に記載の画像データ出力システム。
【請求項８】
インターネットのネットワークプロトコルの上位層を除いた下位層における通信方式を利用し、前記管理者の所定の事項を表示した所定事項画像データを前記管理端末が各ユーザー端末に送信しつつ、前記使用者の所定の事項を表示した所定事項画像データを各ユーザー端末が管理端末に送信する所定事項画像データ送信手段と、前記所定事項画像データを各ユーザー端末が管理端末から受信しつつ、前記所定事項画像データを前記管理端末が各ユーザー端末から受信する所定事項画像データ受信手段と、前記管理端末から受信した所定事項画像データを各ユーザー端末のディスプレイ画面に表示しつつ、各ユーザー端末から受信した所定事項画像データを前記管理端末のディスプレイ画面に表示する所定事項画像データ表示手段とを含み、前記画像データ表示手段が、前記各ユーザー端末から受信した各ユーザー端末のディスプレイ画面に現に表示されている所定事項画像データを前記管理端末のディスプレイ画面に表示する請求項１ないし請求項７いずれかに記載の画像データ出力システム。
【請求項９】
前記インターネットのネットワークプロトコルの下位層における通信方式が、トランスポート層のＴＣＰ通信である請求項１ないし請求項１０いずれかに記載の画像データ出力システム。
【発明の詳細な説明】
【技術分野】
【０００１】
本発明は、各ユーザー端末のディスプレイ画面に現に表示されている個別画像データを表示する画像データ出力システムに関する。
【背景技術】
【０００２】
画面情報の採取を要求する採取起動情報を検出する採取起動情報検出手段と、検出した採取起動情報に基づき、クライアントサーバ型ネットワークシステムに接続されたクライアントの画面情報を採取しつつ、その画面情報をサーバに送信する画面情報送信手段と、サーバが受信した１以上のクライアントの画面情報を一覧表示する一覧画面表示手段とを有するクライアント画面監視システムが開示されている（特許文献１参照）。
【先行技術文献】
【特許文献】
【０００３】
【特許文献１】特開特開２００３−６０６２号公報
【発明の概要】
【発明が解決しようとする課題】
【０００４】
各種の画像データの送受信をインターネットを介して行う場合、インターネットのネットワークプロトコルの上位層から下位層に向かう各種の通信機能が利用される。ネットワークプロトコルの上位層から下位層に向かう通信機能を利用する場合、たとえば最上層に位置するアプリケーション層においてファイル転送やメッセージ通信等のユーザーが実行するサービス間のネットワークプロトコルが制御され、アプリケーション層の下層に位置するプレゼンテーション層において文字コードや画像データ等の表現形式が制御されてプロセス間におけるデータ形式が確認されるとともに、プレゼンテーション層の下層に位置するセッション層において通信モードの管理や情報転送に関する通信制御が行われる。
【０００５】
プレゼンテーション層の下層に位置するトランスポート層において通信の異常が監視され、異常があった場合にそれが通知され、トランスポート層の下層に位置するネットワーク層においてEnd to Endの通信経路が確立されるとともに、ネットワーク層の下層に位置するデータリンク層においてネットワーク層で設定された送信先のアドレスに基づいて経由する機器の宛先を管理する。このようにネットワークプロトコルの上位層から下位層に向かう多数の通信機能を利用して多量の画像データの送受信する場合、多額の通信コストがかかり、多量の画像データを安価に送受信することができない。また、変化の少ない静止画データを多数の通信機能を利用して所定の時間間隔で送受信すると、その分の通信コストがかかるとともに、画像データ送受信の無駄が発生する。
【０００６】
本発明の目的は、複数の使用者が操作する複数のユーザー端末と所定の管理者が操作する管理端末との間において、それらユーザー端末のディスプレイに表示されている多量の画像データを安価に送受信することができ、管理者が管理端末のディスプレイ画面を介してそれらユーザー端末のディスプレイに表示されている画像データを確認しつつ、画像データを利用してそれらユーザー端末の使用者の作業を低コストで確実に管理かつ監視することができる画像データ出力システムを提供することにある。本発明の他の目的は、変化の少ない静止画データの送受信を制限して画像データ送受信の無駄を省くことができ、それらユーザー端末のディスプレイに表示されている静止画データを含む画像データを確認しつつ、静止画データを含む画像データを利用してそれらユーザー端末の使用者の作業を低コストで確実に管理かつ監視することができる画像データ出力システムを提供することにある。
【課題を解決するための手段】
【０００７】
前記課題を解決するための本発明に係る画像データ出力システムは、複数の使用者が操作する複数のユーザー端末と、所定の管理者が操作する管理端末とから形成され、インターネットのネットワークプロトコルの上位層を除いた下位層における通信方式を利用し、複数の使用者が操作中の各ユーザー端末のディスプレイ画面に現に表示されている個別画像データを各ユーザー端末が管理端末に送信しつつ、個別画像データを管理端末が各ユーザー端末から受信する画像データ送受信手段と、各ユーザー端末から受信した各ユーザー端末のディスプレイ画面に現に表示されている個別画像データを１つのグループとして管理端末の１つのディスプレイ画面に現在から未来に向かって時系列かつリアルタイムに表示する画像データ表示手段とを有することを特徴とする。
【０００８】
本発明の画像データ出力システムの一例としては、各ユーザー端末から受信した各ユーザー端末のディスプレイ画面に現に表示されている個別画像データを管理端末が静止画データと時系列に変化する動画データとに区分する画像データ区分手段を含み、画像データ送受信手段が、画像データ区分手段によって区分されて各ユーザー端末のディスプレイ画面に現に表示されている動画データを各ユーザー端末が管理端末に送信しつつ、その動画データを管理端末が各ユーザー端末から受信し、画像データ表示手段が、各ユーザー端末から受信した各ユーザー端末のディスプレイ画面に現に表示されている動画データを管理端末のディスプレイ画面に時系列かつリアルタイムに表示する。
【０００９】
本発明の画像データ出力システムの他の一例としては、画像データ送受信手段が、画像データ区分手段によって区分されて各ユーザー端末のディスプレイ画面に現に表示されている静止画データを一度送受信した後、その静止画データが改変されるまでの間、改変前のその静止画データの再度の送受信を停止し、画像データ表示手段が、一度受信した改変前の静止画データが改変されるまでの間、その静止画データを管理端末のディスプレイ画面に継続して表示する。
【００１０】
本発明の画像データ出力システムの他の一例としては、各ユーザー端末から受信した各ユーザー端末のディスプレイ画面に現に表示されている個別画像データを管理端末の記憶デバイスに記憶する画像データ記憶手段を含み、画像データ表示手段が、画像データ記憶手段によって記憶された過去の個別画像データを管理端末のディスプレイ画面に表示する。
【００１１】
本発明の画像データ出力システムの他の一例としては、画像データ記憶手段によって記憶された個別画像データを管理者が管理端末を介して編集する画像データ編集手段を含み、画像データ表示手段が、画像データ編集手段によって編集された編集画像データを管理端末のディスプレイ画面に表示する。
【００１２】
本発明の画像データ出力システムの他の一例としては、各ユーザー端末から受信した各ユーザー端末のディスプレイ画面に現に表示されている個別画像データを管理者が管理端末を介して改変する画像データ改変手段を含み、画像データ送受信手段が、画像データ改変手段によって改変されて各ユーザー端末のディスプレイ画面に現に表示されている改変後の個別画像データを各ユーザー端末が管理端末に送信しつつ、改変後の個別画像データを管理端末が各ユーザー端末から受信し、画像データ表示手段が、画像データ改変手段によって改変されて各ユーザー端末のディスプレイ画面に現に表示されている改変後の個別画像データを管理端末のディスプレイ画面に表示する。
【００１３】
本発明の画像データ出力システムの他の一例としては、画像データ記憶手段が、画像データ改変手段によって改変されて各ユーザー端末のディスプレイ画面に現に表示されている改変後の個別画像データを記憶し、画像データ表示手段が、画像データ記憶手段によって記憶された改変後の過去の個別画像データを管理端末のディスプレイ画面に表示する。
【００１４】
本発明の画像データ出力システムの他の一例としては、各ユーザー端末から受信した各ユーザー端末のディスプレイ画面に現に表示されている個別画像データのうちの必要な個別画像データを管理者が管理端末を介して選択する画像データ選択手段を含み、画像データ送受信手段が、画像データ選択手段によって選択されて各ユーザー端末のディスプレイ画面に現に表示されている選択画像データを各ユーザー端末が管理端末に送信しつつ、その選択画像データを管理端末が各ユーザー端末から受信し、画像データ表示手段が、各ユーザー端末から受信した各ユーザー端末のディスプレイ画面に現に表示されている選択画像データを管理端末のディスプレイ画面に表示する。
【００１５】
本発明の画像データ出力システムの他の一例としては、インターネットのネットワークプロトコルの上位層を除いた下位層における通信方式を利用し、管理者の所定の事項を表示した所定事項画像データを管理端末が各ユーザー端末に送信しつつ、使用者の所定の事項を表示した所定事項画像データを各ユーザー端末が管理端末に送信する所定事項画像データ送信手段と、所定事項画像データを各ユーザー端末が管理端末から受信しつつ、所定事項画像データを管理端末が各ユーザー端末から受信する所定事項画像データ受信手段と、管理端末から受信した所定事項画像データを各ユーザー端末のディスプレイ画面に表示しつつ、各ユーザー端末から受信した所定事項画像データを管理端末のディスプレイ画面に表示する所定事項画像データ表示手段とを含み、画像データ表示手段が、各ユーザー端末から受信した各ユーザー端末のディスプレイ画面に現に表示されている所定事項画像データを管理端末のディスプレイ画面に表示する。
【００１６】
本発明の画像データ出力システムの他の一例としては、画像データ記憶手段が、所定事項画像データ送受信手段によって各ユーザー端末に送信されてユーザー端末のディスプレイ画面に現に表示されている所定事項画像データを記憶するとともに、所定事項画像データ送受信手段によって各ユーザー端末から送信された所定事項画像データを記憶し、画像データ表示手段が、画像データ記憶手段によって記憶された所定事項画像データを管理端末のディスプレイ画面に表示する。  
【００１７】
本発明の画像データ出力システムの他の一例としては、インターネットのネットワークプロトコルの下位層における通信方式がトランスポート層のＴＣＰ通信である。
【発明の効果】
【００１８】
本発明に係る画像データ出力システムによれば、インターネットのネットワークプロトコルの上位層を除いた下位層における通信方式を利用し、複数の使用者が操作中の各ユーザー端末のディスプレイ画面に現に表示されている個別画像データを各ユーザー端末が管理端末に送信しつつ、個別画像データを管理端末が各ユーザー端末から受信し、各ユーザー端末から受信した各ユーザー端末のディスプレイ画面に現に表示されている個別画像データを１つのグループとして管理端末の１つのディスプレイ画面に現在から未来に向かって時系列かつリアルタイムに表示するから、インターネットのネットワークプロトコルの上位層から下位層に向かう多数の通信機能を利用することはなく、インターネットのネットワークプロトコルの上位層を除いた下位層における通信方式を利用することで、複数の使用者が操作する複数のユーザー端末と所定の管理者が操作する管理端末との間において、それらユーザー端末のディスプレイ画面に表示されている多量の画像データを安価に送受信することができ、管理者が管理端末のディスプレイ画面を介してそれらユーザー端末のディスプレイ画面に表示されている画像データを確認しつつ、画像データを利用してそれらユーザー端末の使用者の作業を低コストで確実に管理かつ監視することができる。
【００１９】
各ユーザー端末から受信した各ユーザー端末のディスプレイ画面に現に表示されている個別画像データを管理端末が静止画データと時系列に変化する動画データとに区分し、各ユーザー端末のディスプレイ画面に現に表示されている動画データを各ユーザー端末が管理端末に送信しつつ、その動画データを管理端末が各ユーザー端末から受信し、各ユーザー端末から受信した各ユーザー端末のディスプレイ画面に現に表示されている動画データを管理端末のディスプレイ画面に時系列かつリアルタイムに表示する画像データ出力システムは、複数の使用者が操作する複数のユーザー端末と所定の管理者が操作する管理端末との間において、時系列に変化する動画データを送受信するから、動画データを連続して送受信する場合と比較し、通信コストが抑制され、それらユーザー端末のディスプレイに表示されている多量の動画データを安価に送受信することができ、管理者が管理端末のディスプレイ画面を介してそれらユーザー端末のディスプレイに表示されている動画データを含む画像データを確認しつつ、動画データを含む画像データを利用してそれらユーザー端末の使用者の作業を低コストで確実に管理かつ監視することができる。
【００２０】
各ユーザー端末のディスプレイ画面に現に表示されている静止画データを一度送受信した後、その静止画データが改変されるまでの間、改変前のその静止画データの再度の送受信を停止し、一度受信した改変前の静止画データが改変されるまでの間、その静止画データを管理端末のディスプレイ画面に継続して表示する画像データ出力システムは、静止画データが改変されるまでの間、ユーザー端末と管理端末との間において同一の静止画データが再度送受信されることはなく、変化の少ない静止画データの送受信を制限して画像データ送受信の無駄を省くことができ、それらユーザー端末のディスプレイに表示されている静止画データを含めた画像データを確認しつつ、静止画データを含む画像データを利用してそれらユーザー端末の使用者の作業を低コストで確実に管理および監視することができる。
【００２１】
各ユーザー端末から受信した各ユーザー端末のディスプレイ画面に現に表示されている個別画像データを管理端末の記憶デバイスに記憶し、記憶された過去の個別画像データを管理端末のディスプレイ画面に表示する画像データ出力システムは、各ユーザー端末のディスプレイ画面に現に表示されている個別画像データの履歴を残すことができ、過去の個別画像データを管理端末のディスプレイ画面に表示することで、過去の個別画像データを利用したそれらユーザー端末の使用者の作業の管理および監視の適否を判断することができる。
【００２２】
記憶された個別画像データを管理者が管理端末を介して編集し、編集された編集画像データを管理端末のディスプレイ画面に表示する画像データ出力システムは、記憶された過去の個別画像データ（選択画像データ）を日付毎に一纏めに纏める日付纏め編集、過去の個別画像データ（選択画像データ）を各ユーザー毎に一纏めに纏めるユーザー纏め編集、過去の個別画像データ（選択画像データ）から静止画のみを抽出してそれら静止画を一纏めに纏める静止画纏め編集、過去の個別画像データ（選択画像データ）から動画のみを抽出してそれら動画を一纏めに纏める動画纏め編集、過去の個別画像データ（選択画像データ）から静止画および動画を抽出してそれら静止画および動画を一纏めに纏める静止画・動画纏め編集、過去の個別画像データ（選択画像データ）から所定ジャンルの画像データを抽出してそれら所定ジャンルの画像データを一纏めに纏めるジャンル纏め編集等の画像データ編集（それら編集の１つまたはそれら編集の組み合わせ）を行うことで、個別画像データを見易くすることができ、編集された編集画像データを利用してそれらユーザー端末の使用者の作業を有効かつ適正に管理および監視することができる。
【００２３】
各ユーザー端末から受信した各ユーザー端末のディスプレイ画面に現に表示されている個別画像データを管理者が管理端末を介して改変し、各ユーザー端末のディスプレイ画面に現に表示されている改変後の個別画像データを各ユーザー端末が管理端末に送信しつつ、改変後の個別画像データを管理端末が各ユーザー端末から受信し、各ユーザー端末のディスプレイ画面に現に表示されている改変後の個別画像データを管理端末のディスプレイ画面に表示する画像データ出力システムは、各ユーザー端末のディスプレイ画面に現に表示されている個別画像データを管理者が管理端末を介して改変することで、使用者の作業の過誤を是正することができ、使用者の作業を迅速かつ適正に進めさせることができる。
【００２４】
各ユーザー端末のディスプレイ画面に現に表示されている改変後の個別画像データを記憶し、記憶された改変後の過去の個別画像データを管理端末のディスプレイ画面に表示する画像データ出力システムは、各ユーザー端末のディスプレイ画面に現に表示されている改変後の個別画像データの履歴を残すことができ、過去の改変後の個別画像データを管理端末のディスプレイ画面に表示することで、過去の改変後の個別画像データを利用したそれらユーザー端末の使用者の作業の管理および監視の適否を判断することができる。
【００２５】
インターネットのネットワークプロトコルの上位層を除いた下位層における通信方式を利用し、管理者の所定の事項を表示した所定事項画像データを管理端末が各ユーザー端末に送信しつつ、使用者の所定の事項を表示した所定事項画像データを各ユーザー端末が管理端末に送信し、所定事項画像データを各ユーザー端末が管理端末から受信しつつ、所定事項画像データを管理端末が各ユーザー端末から受信するとともに、管理端末から受信した所定事項画像データを各ユーザー端末のディスプレイ画面に表示しつつ、各ユーザー端末から受信した所定事項画像データを管理端末のディスプレイ画面に表示し、各ユーザー端末から受信した各ユーザー端末のディスプレイ画面に現に表示されている所定事項画像データを管理端末のディスプレイ画面に表示する画像データ出力システムは、管理者の指示等の所定の事項を表示した所定事項画像データを管理端末が各ユーザー端末に送信しつつ、使用者の要望等の所定の事項を表示した所定事項画像データを各ユーザー端末が管理端末に送信し、管理端末から受信した所定事項画像データを各ユーザー端末のディスプレイ画面に表示しつつ、各ユーザー端末から受信した所定事項画像データを管理端末のディスプレイ画面に表示することで、適切な指示を行うことで使用者の作業の過誤を未然に防ぐことができ、使用者の要望を聞くことで使用者の作業効率を高めることができるとともに、使用者の作業を効率よく適正に進めさせることができる。
【００２６】
インターネットのネットワークプロトコルの下位層における通信方式がトランスポート層のＴＣＰ通信である画像データ出力システムは、インターネットのネットワークプロトコルの上位層から下位層に向かう多数の通信機能を利用することはなく、インターネットのネットワークプロトコルのトランスポート層のＴＣＰ通信を利用することで、複数の使用者が操作する複数のユーザー端末と所定の管理者が操作する管理端末との間において、それらユーザー端末のディスプレイに表示されている多量の画像データを安価に送受信することができ、管理者が管理端末のディスプレイ画面を介してそれらユーザー端末のディスプレイに表示されている画像データを確認しつつ、画像データを利用してそれらユーザー端末の使用者の作業を低コストで確実に管理かつ監視することができる。
【図面の簡単な説明】
【００２７】
【図１】画像データ出力システムのマシン構成の一例を示す図。
【図２】メニュー画面（初期画面）の一例を示す図。
【図３】ユーザー選択画面の一例を示す図。
【図４】画像データ選択画面の一例を示す図。
【図５】図４から続く画像データ選択画面を示す図。
【図６】画像データ表示画面の一例を示す図。
【図７】図６から続く画像データ表示画面を示す図。
【図８】過去画像データ選択画面の一例を示す図。
【図９】過去の個別画像データの画像データ表示画面の一例を示す図。
【図１０】指示画像データ送信画面の一例を示す図。
【図１１】指示画像データ表示画面の一例を示す図。
【図１２】画像データ表示画面の他の一例を示す図。
【図１３】過去画像データ表示画面の他の一例を示す図。
【図１４】変更ユーザー選択画面の一例を示す図。
【図１５】変更画像データ送信画面の一例を示す図。
【図１６】変更画像データ表示画面の一例を示す図。
【図１７】画像データ表示画面の他の一例を示す図。
【図１８】過去画像データ表示画面の他の一例を示す図。
【図１９】画像データ編集画面の一例を示す図。
【図２０】画像データ表示画面の他の一例を示す図。
【図２１】画像データ表示画面の他の一例を示す図。
【発明を実施するための形態】
【００２８】
画像データ出力システム１０を実施するためのマシン構成の一例を示す図である図１等の添付の図面を参照し、本発明に係る画像データ出力システムの詳細を説明すると、以下のとおりである。画像データ出力システム１０は、複数（不特定多数）の使用者が操作するノート型パソコン１１Ａ，１１Ｂ，１１Ｃ（ユーザー端末）およびタブレット１２Ａ，１２Ｂ（ユーザー端末）と、複数（特定多数）の管理者が操作する各システムサーバ１３Ａ，１３Ｂ（管理端末）とから形成されている。画像データ出力システム１０は、ノート型パソコン１１Ａ，１１Ｂ，１１Ｃやタブレット１２Ａ，１２Ｂのディスプレイ画面１４，１５（タッチ画面）に現に表示されている個別画像データをそれらシステムサーバ１３Ａ，１３Ｂのディスプレイ画面１６に現在から未来に向かって時系列かつリアルタイムに表示することによって各管理者がそれら使用者の作業を管理および監視する。
【００２９】
図１では、インターネット１７を介して接続された２台のシステムサーバ１３Ａ，１３Ｂや３台のノート型パソコン１１Ａ，１１Ｂ，１１Ｃ、２台のタブレット１２Ａ，１２Ｂを図示しているが、実際の画像データ出力システム１０ではインターネット１７を介して接続される各種複数のシステムサーバ（管理端末）が存在するとともに、インターネット１７を介して各システムサーバへアクセス可能な各種複数のノート型パソコン（ユーザー端末）やタブレット（ユーザー端末）が存在する。なお、ユーザー端末にはスマートフォンや携帯情報端末（ＰＤＡ）、ウエアラブル端末も含まれ、さらに、今後開発されるインターネット１７に接続可能な全てのユーザー端末が含まれる。
【００３０】
各システムサーバ１３Ａ，１３Ｂ（仮想サーバを含む）やノート型パソコン１１Ａ，１１Ｂ，１１Ｃ、タブレット１２Ａ，１２Ｂは、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶デバイス（大容量ハードディスク等）を実装している。それらシステムサーバ１３Ａ，１３Ｂには、図示はしていないが、キーボードやマウス（入力装置）、プリンタ（出力装置）がインターフェイスを介して接続され、ノート型パソコン１１Ａ，１１Ｂ，１１Ｃには、マウス（入力装置）やプリンタ（出力装置）がインターフェイスを介して接続されている。
【００３１】
システムサーバ１３Ａ，１３Ｂ（仮想サーバを含む）は、画像データ出力システム１０を管理・提供する管理者（管理会社）が契約するデータセンター（クラウドを含む）に設置されている。なお、システムサーバ１３Ａ，１３Ｂが画像データ出力システム１０を管理・提供する管理者（管理会社）の社内に設置される場合がある。それらノート型パソコン１１Ａ，１１Ｂ，１１Ｃやタブレット１２Ａ，１２Ｂは、画像データ出力システム１０を利用する各使用者（ユーザー）が所持している。システムサーバ１３Ａ，１３Ｂやノート型パソコン１１Ａ，１１Ｂ，１１Ｃ、タブレット１２Ａ，１２Ｂには、画像データ出力システム１０の各手段を実行するための画像データ出力システムアプリケーションが記憶（格納）されている。
【００３２】
それらシステムサーバ１３Ａ，１３Ｂやそれらノート型パソコン１１Ａ，１１Ｂ，１１Ｃ、それらタブレット１２Ａ，１２Ｂは、ＤＮＳサーバ機能、データベースサーバ機能、Ｗｅｂサーバ機能、メールサーバ機能、ドキュメントサーバ機能の各種サーバ機能を有し、インターネット１７に接続された各種複数のＤＮＳサーバ等を経由しつつ、インターネット１７を利用してアクセス制限がない不特定多数の他のあらゆるサーバ（物理サーバや仮想サーバ）にアクセスかつログインすることができるとともに、インターネット１７において各種検索エンジンを利用することができる。それらシステムサーバ１３Ａ，１３Ｂは、ノート型パソコン１１Ａ，１１Ｂ，１１Ｃやタブレット１２Ａ，１２ＢのＵＲＬを使用してノート型パソコン１１Ａ，１１Ｂ，１１Ｃやタブレット１２Ａ，１２Ｂにアクセスかつログインすることができる。ノート型パソコン１１Ａ，１１Ｂ，１１Ｃやタブレット１２Ａ，１２Ｂは、各システムサーバ１３Ａ，１３ＢのＵＲＬを使用してシステムサーバ１３Ａ，１３Ｂにアクセスかつログインすることができる。
【００３３】
システムサーバ１３Ａ，１３Ｂやノート型パソコン１１Ａ，１１Ｂ，１１Ｃ、タブレット１２Ａ，１２Ｂには、それらを特定する端末特定情報が格納されている。端末特定情報としては、システムサーバ１３Ａ，１３Ｂやノート型パソコン１１Ａ，１１Ｂ，１１Ｃ、タブレット１２Ａ，１２ＢのＩＰアドレスやＭＡＣアドレス、ＵＲＬ、メールアドレス、Ｃｏｏｋｉｅ情報、固体識別番号等を利用することができる他、システムサーバ１３Ａ，１３Ｂやノート型パソコン１１Ａ，１１Ｂ，１１Ｃ、タブレット１２Ａ，１２Ｂがそれらを識別するユニークな識別子を独自に生成し、生成した識別子を端末特定情報にすることもできる。
【００３４】
システムサーバ１３Ａ，１３Ｂの記憶デバイスには、それらを使用する権限を有する管理者（事業者）の管理者特定情報（端末特定情報を含む）が記憶（格納）され、ノート型パソコン１１Ａ，１１Ｂ，１１Ｃやタブレット１２Ａ，１２Ｂの使用者の使用者特定情報（端末特定情報を含む）が記憶（格納）されている。管理者特定情報には、パスワードやＩＤ番号、管理者の名称（法人名）、住所または居所、電話番号、ＦＡＸ番号、メールアドレス等がある。使用者特定情報には、パスワードやＩＤ番号、ユーザーの氏名または名称（法人名や個人名）、住所または居所、電話番号、ＦＡＸ番号、年齢、性別、メールアドレス等がある。
【００３５】
システムサーバ１３Ａ，１３Ｂ（管理端末）は、インターネット１７のネットワークプロトコルの上位層を除いた下位層における通信方式を利用し、各種の画像データをノート型パソコン１１Ａ，１１Ｂ，１１Ｃやタブレット１２Ａ，１２Ｂ（各ユーザー端末）に送信するとともに、各種の画像データをノート型パソコン１１Ａ，１１Ｂ，１１Ｃやタブレット１２Ａ，１２Ｂから受信する画像データ送受信手段を実行する。
【００３６】
システムサーバ１３Ａ，１３Ｂは、インターネット１７のネットワークプロトコルの上位層を除いた下位層における通信方式を利用し、管理者の指示等の所定の事項を表示した所定事項画像データをノート型パソコン１１Ａ，１１Ｂ，１１Ｃやタブレット１２Ａ，１２Ｂに送信する所定事項画像データ送信手段（双方向コミュニケーション手段）を実行する。システムサーバ１３Ａ，１３Ｂは、インターネット１７のネットワークプロトコルの上位層を除いた下位層における通信方式を利用し、使用者の要望等の所定の事項を表示した所定事項画像データをノート型パソコン１１Ａ，１１Ｂ，１１Ｃやタブレット１２Ａ，１２Ｂから受信する所定事項画像データ受信手段（双方向コミュニケーション手段）を実行する。インターネット１７のネットワークプロトコルの下位層における通信方式としてトランスポート層のＴＣＰ通信を利用しているが、ネットワークプロトコルの下位層における他の通信方式を利用することもできる。
【００３７】
システムサーバ１３Ａ，１３Ｂは、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データのうちの必要な個別画像データ（選択画像データ）を選択する画像データ選択手段を実行し、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データを静止画データと時系列に変化する動画データとに区分する画像データ区分手段を実行する。システムサーバ１３Ａ，１３Ｂは、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データを改変する画像データ改変手段を実行する。
【００３８】
システムサーバ１３Ａ，１３Ｂは、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データ（選択画像データを含む）を記憶デバイスに記憶（格納）する画像データ記憶手段を実行し、画像データ記憶手段によって記憶された個別画像データを編集する画像データ編集手段を実行する。
【００３９】
システムサーバ１３Ａ，１３Ｂは、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データを１つのグループとしてシステムサーバ１３Ａ，１３Ｂの１つのディスプレイ画面１６に現在から未来に向かって時系列かつリアルタイムに表示する画像データ表示手段を実行する。システムサーバ１３Ａ，１３Ｂは、ノート型パソコン１１Ａ，１１Ｂ，１１Ｃやタブレット１２Ａ，１２Ｂから受信した使用者の要望等の所定の事項を表示した所定事項画像データをシステムサーバ１３Ａ，１３Ｂの１つのディスプレイ画面１６に表示する所定事項画像データ表示手段を実行する。
【００４０】
画像データ送受信手段では、ノート型パソコン１１Ａ，１１Ｂ，１１Ｃやタブレット１２Ａ，１２Ｂのディスプレイ画面１４，１５に現に表示されている動画データ（画像データ区分手段によって区分された動画データ）をノート型パソコン１１Ａ，１１Ｂ，１１Ｃやタブレット１２Ａ，１２Ｂがシステムサーバ１３Ａ，１３Ｂに送信しつつ、その動画データをシステムサーバ１３Ａ，１３Ｂがノート型パソコン１１Ａ，１１Ｂ，１１Ｃやタブレット１２Ａ，１２Ｂから受信する。
【００４１】
画像データ送受信手段では、ノート型パソコン１１Ａ，１１Ｂ，１１Ｃやタブレット１２Ａ，１２Ｂのディスプレイ画面１４，１５に現に表示されている静止画データ（画像データ区分手段によって区分された静止画データ）を一度送受信した後、その静止画データが改変されるまでの間、改変前のその静止画データの再度の送受信を停止する。さらに、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている改変前の静止画データが改変された場合、改変後の静止画データを一度送受信した後、改変後の静止画データが再び改変されるまでの間、その静止画データの再度の送受信を停止する。
【００４２】
画像データ送受信手段では、ノート型パソコン１１Ａ，１１Ｂ，１１Ｃやタブレット１２Ａ，１２Ｂのディスプレイ画面１４，１５に現に表示されている改変後の個別画像データ（画像データ改変手段によって改変された個別画像データ）をノート型パソコン１１Ａ，１１Ｂ，１１Ｃやタブレット１２Ａ，１２Ｂがシステムサーバ１３Ａ，１３Ｂに送信しつつ、改変後の個別画像データをシステムサーバ１３Ａ，１３Ｂがノート型パソコン１１Ａ，１１Ｂ，１１Ｃやタブレット１２Ａ，１２Ｂから受信する。
【００４３】
画像データ送受信手段では、ノート型パソコン１１Ａ，１１Ｂ，１１Ｃやタブレット１２Ａ，１２Ｂのディスプレイ画面１４，１５に現に表示されている選択画像データ（画像データ選択手段によって選択された選択画像データ）をノート型パソコン１１Ａ，１１Ｂ，１１Ｃやタブレット１２Ａ，１２Ｂがシステムサーバ１３Ａ，１３Ｂに送信しつつ、その選択画像データをシステムサーバ１３Ａ，１３Ｂがノート型パソコン１１Ａ，１１Ｂ，１１Ｃやタブレット１２Ａ，１２Ｂから受信する。
【００４４】
画像データ記憶手段では、ノート型パソコン１１Ａ，１１Ｂ，１１Ｃやタブレット１２Ａ，１２Ｂのディスプレイ画面１４，１５に現に表示されている改変後の個別画像データ（画像データ改変手段によって改変された個別画像データ）を記憶デバイスに記憶（格納）する。画像データ記憶手段では、所定事項画像データ送受信手段によってノート型パソコン１１Ａ，１１Ｂ，１１Ｃやタブレット１２Ａ，１２Ｂに送信されてノート型パソコン１１Ａ，１１Ｂ，１１Ｃやタブレット１２Ａ，１２Ｂのディスプレイ画面１４，１５に現に表示されている所定事項画像データを記憶デバイスに記憶（格納）し、所定事項画像データ送受信手段によってノート型パソコン１１Ａ，１１Ｂ，１１Ｃやタブレット１２Ａ，１２Ｂから送信された所定事項画像データを記憶する。画像データ記憶手段では、画像データ編集手段によって編集した編集画像データ（編集後の個別画像データ）を記憶デバイスに記憶（格納）する。
【００４５】
画像データ表示手段では、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている動画データをシステムサーバ１３Ａ，１３Ｂのディスプレイ画面１６に表示する。画像データ表示手段では、一度受信した改変前の静止画データが改変されるまでの間、ノート型パソコン１１Ａ，１１Ｂ，１１Ｃやタブレット１２Ａ，１２Ｂのディスプレイ画面１４，１５に現に表示されているその静止画データをシステムサーバ１３Ａ，１３Ｂのディスプレイ画面１６に継続して表示し、一度受信した改変後の静止画データが再び改変されるまでの間、ノート型パソコン１１Ａ，１１Ｂ，１１Ｃやタブレット１２Ａ，１２Ｂのディスプレイ画面１４，１５に現に表示されているその静止画データをシステムサーバ１３Ａ，１３Ｂのディスプレイ画面１６に継続して表示する。
【００４６】
画像データ表示手段では、ノート型パソコン１１Ａ，１１Ｂ，１１Ｃやタブレット１２Ａ，１２Ｂのディスプレイ画面１４，１５に現に表示されている改変後の個別画像データ（画像データ改変手段によって改変された個別画像データ）をシステムサーバ１３Ａ，１３Ｂのディスプレイ画面１６に表示し、画像データ記憶手段によって記憶された改変後の過去の個別画像データをシステムサーバ１３Ａ，１３Ｂのディスプレイ画面１６に表示する。画像データ表示手段では、画像データ記憶手段によって記憶された過去の個別画像データをシステムサーバ１３Ａ，１３Ｂのディスプレイ画面１６に表示し、画像データ編集手段によって編集された編集画像データをシステムサーバ１３Ａ，１３Ｂのディスプレイ画面１６に表示する。
【００４７】
画像データ表示手段では、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている選択画像データをシステムサーバ１３Ａ，１３Ｂのディスプレイ画面１６に表示し、画像データ記憶手段によって記憶された選択画像データをシステムサーバ１３Ａ，１３Ｂのディスプレイ画面１６に表示する。画像データ表示手段では、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている所定事項画像データをシステムサーバ１３Ａ，１３Ｂのディスプレイ画面１６に表示し、画像データ記憶手段によって記憶された所定事項画像データをシステムサーバ１３Ａ，１３Ｂのディスプレイ画面１６に表示する。
【００４８】
ノート型パソコン１１Ａ，１１Ｂ，１１Ｃやタブレット１２Ａ，１２Ｂ（各ユーザー端末）は、インターネット１７のネットワークプロトコルの上位層を除いた下位層における通信方式を利用し、各種の画像データをシステムサーバ１３Ａ，１３Ｂ（管理端末）に送信するとともに、各種の画像データをシステムサーバ１３Ａ，１３Ｂから受信する画像データ送受信手段を実行する。ノート型パソコン１１Ａ，１１Ｂ，１１Ｃやタブレット１２Ａ，１２Ｂは、インターネット１７のネットワークプロトコルの上位層を除いた下位層における通信方式を利用し、管理者の指示等の所定の事項を表示した所定事項画像データをシステムサーバ１３Ａ，１３Ｂから受信する所定事項画像データ受信手段（双方向コミュニケーション手段）を実行し、使用者の要望等の所定の事項を表示した所定事項画像データをシステムサーバ１３Ａ，１３Ｂに送信する所定事項画像データ送信手段（双方向コミュニケーション手段）を実行する。
【００４９】
ノート型パソコン１１Ａ，１１Ｂ，１１Ｃやタブレット１２Ａ，１２Ｂは、システムサーバ１３Ａ，１３Ｂから受信した個別画像データ（静止画データや動画データ）や選択画像データ（静止画データや動画データ）をディスプレイ画面１４，１５に表示する画像データ表示手段を実行し、システムサーバ１３Ａ，１３Ｂから受信した所定事項画像データ（静止画データや動画データ）をノート型パソコン１１Ａ，１１Ｂ，１１Ｃやタブレット１２Ａ，１２Ｂのディスプレイ画面１４，１５に表示する所定事項画像データ表示手段を実行する。ノート型パソコン１１Ａ，１１Ｂ，１１Ｃやタブレット１２Ａ，１２Ｂは、システムサーバ１３Ａ，１３Ｂから受信した画像データ改変手段によって改変された改変後の個別画像データ（静止画データや動画データ）をディスプレイ画面１４，１５に表示する改変画像データ表示手段を実行する。
【００５０】
図２は、システムサーバ１３Ａ，１３Ｂのディスプレイ画面１６に表示されたメニュー画面（初期画面）の一例を示す図であり、図３は、システムサーバ１３Ａ，１３Ｂのディスプレイ画面１６に表示されたユーザー選択画面の一例を示す図である。図４は、システムサーバ１３Ａ，１３Ｂのディスプレイ画面１６に表示された画像データ選択画面の一例を示す図であり、図５は、システムサーバ１３Ａ，１３Ｂのディスプレイ画面１６に表示された図４から続く画像データ選択画面を示す図である。図５では、各エリアＡ〜エリアＤにおける具体的な画像データの図示を省略している。画像データ出力システム１０を利用する管理者と使用者との間にシステム利用契約が締結され、システム利用契約を締結した使用者のノート型パソコン１１Ａ，１１Ｂ，１１Ｃやタブレット１２Ａ，１２Ｂを特定する端末特定情報および使用者特定情報が管理者のシステムサーバ１３Ａ，１３Ｂに登録（記憶）されている。
【００５１】
なお、各システムサーバ１３Ａ，１３Ｂのディスプレイ画面１６に各使用者のノート型パソコン１１Ａ，１１Ｂ，１１Ｃやタブレット１２Ａ，１２Ｂのディスプレイ画面１４，１５に表示される個別画像データを表示させることはもちろん、各システムサーバ１３Ａ，１３Ｂの少なくとも一方のディスプレイ画面１６に特定の使用者の個別画像データを表示させることができる。たとえば、システムサーバ１３Ａのディスプレイ画面１６にノート型パソコン１１Ａ，１１Ｂのディスプレイ画面１４に表示される個別画像データを表示させ、システムサーバ１３Ｂのディスプレイ画面１６にノート型パソコン１１Ｃおよびタブレット１２Ａ，１２Ｂのディスプレイ画面１４，１５に表示される個別画像データを表示させることができる。
【００５２】
システムサーバ１３Ａ，１３Ｂのディスプレイ画面１６に表示された画像データ出力システム１０を表すアイコン（図示せず）をクリックすると、画像データ出力システムアプリケーションが起動し、図２に示すメニュー画面（初期画面）がシステムサーバ１３Ａ，１３Ｂのディスプレイ画面１６に表示される。図２のメニュー画面（初期画面）には、ユーザー選択ボタン２ａ、画像データ選択ボタン２ｂ、画像データ表示ボタン２ｃ、過去画像データ表示ボタン２ｄ、画像データ編集ボタン２ｅ、編集画像データ表示ボタン２ｆ、キャンセルボタン２ｇが表示される。キャンセルボタン２ｇをクリックすると、画像データ出力システムアプリケーションが停止する（以下のキャンセルボタンも同様）。
【００５３】
画像データ出力システム１０を利用して管理・監視する使用者を選択するには、図２のメニュー画面（初期画面）のユーザー選択ボタン２ａをクリックする。ユーザー選択ボタン２ａをクリックすると、図３に示すユーザー選択画面がシステムサーバ１３Ａ，１３Ｂのディスプレイ画面１６に表示される。ユーザー選択画面には、指定ユーザー表示エリア３ａ、未指定ユーザー表示エリア３ｂ、ユーザー選択実行ボタン３ｃ、ユーザー選択解除ボタン３ｄ、クリアボタン３ｅ、戻るボタン３ｆ、キャンセルボタン３ｇが表示される。なお、クリアボタン３ｅをクリックすると、選択したデータや入力したデータが消去（クリア）され、あらたにデータを選択または入力する（以下のクリアボタンも同様）。戻るボタン３ｆをクリックすると、図２のメニュー画面（初期画面）戻る（以下の戻るボタンも同様）。
【００５４】
指定ユーザー表示エリア３ａには、システムサーバ１３Ａ，１３Ｂに登録（記憶）された使用者（ユーザー）のうちの画像データ表示の対象となる使用者が表示され、画像データ表示の対象となる使用者が所持するノート型パソコン１１Ａ，１１Ｂ，１１Ｃやタブレット１２Ａ，１２Ｂの起動情報（ＯＮまたはＯＦＦ）が表示される。未指定ユーザー表示エリア３ｂには、システムサーバ１３Ａ，１３Ｂに登録（記憶）された使用者（ユーザー）のうちの画像データ表示の対象外となる使用者が表示される。
【００５５】
管理者は、図３のユーザー選択画面において、画像データ表示の対象外となっている使用者の中から画像データ表示の対象とする使用者を選択することができるとともに、画像データ表示の対象となっている使用者の中から画像データ表示の対象外とする使用者を選択することができる。画像データ表示の対象外となっている使用者の中から画像データ表示の対象とする使用者を選択するには、未指定ユーザー表示エリア３ｂに表示されたユーザーのうち、画像データ表示の対象とするユーザーをクリックして反転させ、ユーザー選択実行ボタン３ｃをクリックする。ユーザー選択実行ボタン３ｃをクリックすると、未指定ユーザー表示エリア３ｂにおいて選択（反転）された使用者が画像データ表示の対象ユーザーとなり、その使用者が未指定ユーザー表示エリア３ｂから指定ユーザー表示エリア３ａに移動する。システムサーバ１３Ａ，１３Ｂのディスプレイ画面１６には、図２のメニュー画面（初期画面）が表示される。
【００５６】
画像データ表示の対象となっている使用者の中から画像データ表示の対象外とする使用者を選択するには、指定ユーザー表示エリア３ａに表示されたユーザーのうち、画像データ表示の対象外とするユーザーをクリックして反転させ、ユーザー選択解除ボタン３ｄをクリックする。ユーザー選択解除ボタン３ｄをクリックすると、指定ユーザー表示エリア３ａにおいて選択（反転）された使用者が画像データ表示の対象外ユーザーとなり、その使用者が指定ユーザー表示エリア３ａから未指定ユーザー表示エリア３ｂに移動する。システムサーバ１３Ａ，１３Ｂのディスプレイ画面１６には、図２のメニュー画面（初期画面）が表示される。
【００５７】
なお、図３の指定ユーザー表示エリア３ａや未指定ユーザー表示エリア３ｂにおいて特定のユーザーをダブルクリックすると、図示はしていないが、そのユーザーの使用者特定情報を表示したユーザー情報表示画面がシステムサーバ１３Ａ，１３Ｂのディスプレイ画面１６に表示される。管理者は、ユーザー情報表示画面を見ることで、各ユーザーの固有情報を知ることができる。
【００５８】
システムサーバ１３Ａ，１３Ｂのディスプレイ画面１６に表示される画像データを選択するには、図２のメニュー画面（初期画面）の画像データ選択ボタン２ｂをクリックする。画像データ選択ボタン２ｂをクリックすると、図４に示す画像データ選択画面（１）がシステムサーバ１３Ａ，１３Ｂのディスプレイ画面１６に表示される。画像データ選択画面（１）には、指定ユーザー表示エリア４ａ、画像データ選択実行ボタン４ｂ、クリアボタン４ｃ、戻るボタン４ｄ、キャンセルボタン４ｅが表示される。
【００５９】
指定ユーザー表示エリア４ａには、システムサーバ１３Ａ，１３Ｂに登録（記憶）された使用者（ユーザー）のうちの画像データ表示の対象となる使用者が表示される。画像データ出力システム１０は、画像データ表示の対象ユーザーのノート型パソコン１１Ａ，１１Ｂ，１１Ｃやタブレット１２Ａ，１２Ｂのディスプレイ画面１４，１５に表示される個別画像データの中から所定の個別画像データを選択し、その個別画像データのみをシステムサーバ１３Ａ，１３Ｂのディスプレイ画面１６に表示させることができる。
【００６０】
所定の個別画像データを選択するには、指定ユーザー表示エリア３ａに表示されたユーザーのうち、個別画像データの選択の対象とするユーザーをクリックして反転させ、画像データ選択実行ボタン４ｂをクリックする。画像データ選択実行ボタン４ｂをクリックすると、図５に示す画像データ選択画面（２）がシステムサーバ１３Ａ，１３Ｂのディスプレイ画面１６に表示される。画像データ選択画面（２）には、画像データ選択画面（１）において指定したユーザー（使用者）を表示した指定ユーザー表示エリア５ａ、画像データ選択エリア５ｂ、画像データ選択実行ボタン５ｃ、クリアボタン５ｄ、戻るボタン５ｅ、キャンセルボタン５ｆが表示される。
【００６１】
画像データ選択エリア５ｂには、ユーザーＡのディスプレイ画面に表示されるＡエリア〜Ｄエリアまでのイメージ画面（レイアウト画面）が表示される。画像データ選択エリア５ｂに表示されたＡエリア〜Ｄエリアのうち、表示対象とする画像データをクリックして反転させ、画像データ選択実行ボタン５ｃをクリックする。画像データ選択実行ボタン５ｃをクリックすると、システムサーバ１３Ａ，１３Ｂは、画像データ選択エリア５ｂにおいて選択（反転）されたエリア（Ａエリア〜Ｄエリアの少なくとも１つのエリア）の画像データを表示対象と認識する。
【００６２】
システムサーバ１３Ａ，１３Ｂは、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データのうち、画像データ選択エリア５ｂにおいて選択（反転）されたエリアの画像データを表示が必要な個別画像データ（選択画像データ）として選択する（画像データ選択手段）。
【００６３】
たとえば、エリアＡおよびエリアＣを選択すると、選択したエリアＡ，Ｃのみに表示される個別画像データ（選択画像データ）がシステムサーバ１３Ａ，１３Ｂのディスプレイ画面１６に表示され、すべてのエリアＡ〜エリアＤを選択すると、エリアＡ〜エリアＤに表示される個別画像データ（選択画像データ）がシステムサーバ１３Ａ，１３Ｂのディスプレイ画面１６に表示される。なお、図５の画像データ選択画面（２）では、すべてのエリアＡ〜エリアＤが選択されたものとする。
【００６４】
画像データ出力システム１０は、ノート型パソコン１１Ａ，１１Ｂ，１１Ｃやタブレット１２Ａ，１２Ｂのディスプレイ画面１４，１５に表示される個別画像データのうちの必要な個別画像データ（選択画像データ）を選択することで、個別画像データのうちの不要な個別画像データの送受信を停止させることができ、不必要な個別画像データの送受信を制限して画像データ送受信の無駄を省くことができる。
【００６５】
図６は、システムサーバ１３Ａ，１３Ｂのディスプレイ画面１６に表示された画像データ表示画面の一例を示す図であり、図７は、システムサーバ１３Ａ，１３Ｂのディスプレイ画面１６に表示された図６から続く画像データ表示画面を示す図である。図８は、システムサーバ１３Ａ，１３Ｂのディスプレイ画面１６に表示された過去画像データ選択画面の一例を示す図であり、図９は、システムサーバ１３Ａ，１３Ｂのディスプレイ画面１６に表示された過去画像データ表示画面の一例を示す図である。図６，７，９では、具体的な画像データの図示を省略している。画像データ表示の対象となる使用者を選択し、表示対象とする画像データを選択した後、画像データ出力システム１０を利用して管理・監視を開始するには、図２のメニュー画面（初期画面）の画像データ表示ボタン２ｃをクリックする。
【００６６】
画像データ表示ボタン２ｃをクリックすると、ノート型パソコン１１Ａ，１１Ｂ，１１Ｃやタブレット１２Ａ，１２Ｂ（各ユーザー端末）は、インターネット１７のネットワークプロトコルの上位層を除いた下位層における通信方式を利用し、個別画像データ（または選択画像データ（画像データ選択手段によって選択された選択画像データ））をシステムサーバ１３Ａ，１３Ｂ（管理端末）に送信する（画像データ送受信手段）。システムサーバ１３Ａ，１３Ｂは、インターネット１７のネットワークプロトコルの上位層を除いた下位層における通信方式を利用し、個別画像データ（または選択画像データ（画像データ選択手段によって選択された選択画像データ））をノート型パソコン１１Ａ，１１Ｂ，１１Ｃやタブレット１２Ａ，１２Ｂから受信する（画像データ送受信手段）。
【００６７】
システムサーバ１３Ａ，１３Ｂは、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている個別画像データ（または選択画像データ（画像データ選択手段によって選択された選択画像データ））を静止画データと時系列に変化する動画データとに区分する（画像データ区分手段）。データを表す機械語が時系列に変化するエリアを動画として判断し、データを表す機械語が変化しないエリアを静止画データとして判断する
【００６８】
システムサーバ１３Ａ，１３Ｂは、個別画像データ（または選択画像データ（画像データ選択手段によって選択された選択画像データ））を静止画データと時系列に変化する動画データとに区分した後、ノート型パソコン１１Ａ，１１Ｂ，１１Ｃやタブレット１２Ａ，１２Ｂに動画送信指令と静止画送信指令とを送信する。ノート型パソコン１１Ａ，１１Ｂ，１１Ｃやタブレット１２Ａ，１２Ｂは、ディスプレイ画面１４，１５に現に表示されている動画データをシステムサーバ１３Ａ，１３Ｂに送信する（たとえば、０．１秒間隔や０．０５秒間隔等の時間間隔）。システムサーバ１３Ａ，１３Ｂは、その動画データをノート型パソコン１１Ａ，１１Ｂ，１１Ｃやタブレット１２Ａ，１２Ｂから受信する（たとえば、０．１秒間隔や０．０５秒間隔等の時間間隔）。動画データを送受信する時間間隔は、システムサーバ１３Ａ，１３Ｂにおいて自由に設定することができる。
【００６９】
システムサーバ１３Ａ，１３Ｂは、ノート型パソコン１１Ａ，１１Ｂ，１１Ｃやタブレット１２Ａ，１２Ｂのディスプレイ画面１４，１５に現に表示されている静止画データを一度送受信した後、その静止画データが改変されるまでの間（データを表す機械語が変化するまでの間）、改変前のその静止画データの再度の送受信を停止する。さらに、ノート型パソコン１１Ａ，１１Ｂ，１１Ｃやタブレット１２Ａ，１２Ｂから受信したノート型パソコン１１Ａ，１１Ｂ，１１Ｃやタブレット１２Ａ，１２Ｂのディスプレイ画面１４，１５に現に表示されている改変前の静止画データが改変された場合（データを表す機械語が変化した場合）、改変後の静止画データを一度送受信した後、改変後の静止画データが再び改変されるまでの間（データを表す機械語が変化するまでの間）、その静止画データの再度の送受信を停止する。
【００７０】
システムサーバ１３Ａ，１３Ｂは、ノート型パソコン１１Ａ，１１Ｂ，１１Ｃやタブレット１２Ａ，１２Ｂのディスプレイ画面１４，１５に現に表示されている個別画像データ（または選択画像データ（画像データ選択手段によって選択された選択画像データ））を１つのグループとしてシステムサーバ１３Ａ，１３Ｂの１つのディスプレイ画面１６に現在から未来に向かって時系列かつリアルタイムに表示する（画像データ表示手段）。システムサーバ１３Ａ，１３Ｂは、ノート型パソコン１１Ａ，１１Ｂ，１１Ｃやタブレット１２Ａ，１２Ｂから受信したディスプレイ画面１４，１５に現に表示されている個別画像データ（選択画像データ）を記憶デバイスに記憶する（画像データ記憶手段）。
【００７１】
システムサーバ１３Ａ，１３Ｂのディスプレイ画面１６には、図６に示す画像データ表示画面が表示される。図６の画像データ表示画面には、メイン画像データ表示エリア６ａ、サブ画像データ表示エリア６ｂ、画像データ切替ボタン６ｃ、指示（所定事項）画像データ送信ボタン６ｄ、画像データ変更ボタン６ｅ、戻るボタン６ｆ、キャンセルボタン６ｇ表示される。メイン画像データ表示エリア６ａには、ユーザーＡ（使用者Ａ）のノート型パソコン１１Ａのディスプレイ画面に現に表示されているＡエリア〜Ｄエリア（個別画像データ（選択画像データ）の動画データや静止画データ）が表示され、サブ画像データ表示エリア６ｂには、ユーザーＤ（使用者Ｄ）〜ユーザーＫ（使用者Ｋ）のノート型パソコン１１Ｂ，１１Ｃやタブレット１２Ａ，１２Ｂのディスプレイ画面に現に表示されている個別画像データ（選択画像データ）の動画データや静止画データが表示される。
【００７２】
画像データ出力システム１０は、時系列に変化する画像データを静止画データと動画データとに区分した上で、動画データのみを送受信するから、画像データを連続して送受信する場合と比較し、通信コストが抑制され、それらユーザー端末のディスプレイに表示されている多量の動画データを安価に送受信することができる。画像データ出力システムは、静止画データが改変されるまでの間、ユーザー端末と管理端末との間において同一の静止画データが再度送受信されることはなく、変化の少ない静止画データの送受信を制限して画像データ送受信の無駄を省くことができる。さらに、改変前の静止画データが改変された場合、改変後の静止画データを一度送受信し、改変後の静止画データが再び改変されるまでの間、ユーザー端末と管理端末との間において同一の静止画データが再度送受信されることはなく、変化の少ない静止画データの送受信を制限して画像データ送受信の無駄を省くことができる。
【００７３】
サブ画像データ表示エリア６ｂに表示されたユーザーＤ（使用者Ｄ）〜ユーザーＫ（使用者Ｋ）のノート型パソコン１１Ｂ，１１Ｃやタブレット１２Ａ，１２Ｂのディスプレイ画面に現に表示されている個別画像データ（選択画像データ）の動画データや静止画データをメイン画像データ表示エリア６ａに表示させるには、サブ画像データ表示エリア６ｂに表示されたユーザー画面をクリックして特定のユーザー画面（たとえば、ユーザーＤ画面）を反転させ、画像データ切替ボタン６ｃをクリックする。
【００７４】
画像データ切替ボタン６ｃをクリックすると、システムサーバ１３Ａ，１３Ｂのディスプレイ画面１６には、図７に示す画像データ表示画面が表示される。図７の画像データ表示画面には、メイン画像データ表示エリア７ａ、サブ画像データ表示エリア７ｂ、画像データ切替ボタン７ｃ、指示（所定事項）画像データ送信ボタン７ｄ、画像データ変更ボタン７ｅ、戻るボタン７ｆ、キャンセルボタン７ｇ表示される。メイン画像データ表示エリア７ａには、ユーザーＤ（使用者Ｄ）のノート型パソコン１１Ｂのディスプレイ画面に現に表示されている個別画像データ（選択画像データ）の動画データや静止画データが表示され、サブ画像データ表示エリア７ｂには、ユーザーＡ（使用者Ａ）〜ユーザーＫ（使用者Ｋ）のノート型パソコン１１Ａ，１１Ｃやタブレット１２Ａ，１２Ｂのディスプレイ画面に現に表示されている個別画像データ（選択画像データ）の動画データや静止画データが表示される。
【００７５】
画像データ出力システム１０は、インターネット１７のネットワークプロトコルの上位層を除いた下位層における通信方式を利用し、複数の使用者が操作中のノート型パソコン１１Ａ，１１Ｂ，１１Ｃやタブレット１２Ａ，１２Ｂのディスプレイ画面１４，１５に現に表示されている個別画像データ（選択画像データ）をノート型パソコン１１Ａ，１１Ｂ，１１Ｃやタブレット１２Ａ，１２Ｂがシステムサーバ１３Ａ，１３Ｂに送信しつつ、個別画像データをシステムサーバ１３Ａ，１３Ｂがノート型パソコン１１Ａ，１１Ｂ，１１Ｃやタブレット１２Ａ，１２Ｂから受信し、ノート型パソコン１１Ａ，１１Ｂ，１１Ｃやタブレット１２Ａ，１２Ｂのディスプレイ画面１４，１５に現に表示されている個別画像データを１つのグループとしてシステムサーバ１３Ａ，１３Ｂの１つのディスプレイ画面１４，１５に現在から未来に向かって時系列かつリアルタイムに表示するから、インターネット１７のネットワークプロトコルの上位層から下位層に向かう多数の通信機能を利用することはなく、インターネット１７のネットワークプロトコルの上位層を除いた下位層における通信方式を利用することで、複数の使用者が操作する複数のノート型パソコン１１Ａ，１１Ｂ，１１Ｃやタブレット１２Ａ，１２Ｂと所定の管理者が操作するシステムサーバ１３Ａ，１３Ｂとの間において、ノート型パソコン１１Ａ，１１Ｂ，１１Ｃやタブレット１２Ａ，１２Ｂのディスプレイ画面１４，１５に表示されている多量の画像データを安価に送受信することができる。
【００７６】
画像データ出力システム１０は、管理者がシステムサーバ１３Ａ，１３Ｂのディスプレイ画面１６を介してそれらノート型パソコン１１Ａ，１１Ｂ，１１Ｃやタブレット１２Ａ，１２Ｂのディスプレイ画面１４，１５に表示されている個別画像データを確認しつつ、個別画像データを利用してそれらノート型パソコン１１Ａ，１１Ｂ，１１Ｃやタブレット１２Ａ，１２Ｂの使用者の作業を低コストで確実に管理かつ監視することができる。
【００７７】
画像データ出力システム１０は、画像データ記憶手段によってシステムサーバ１３Ａ，１３Ｂの記憶デバイスに記憶された過去の個別画像データ（選択画像データ）、指示・要望（所定事項）画像データ、編集画像データを表示することができる。過去の個別画像データ（選択画像データ）を表示するには、図２のメニュー画面（初期画面）の過去画像データ表示ボタン２ｅをクリックする。過去画像データ表示ボタン２ｅをクリックすると、図示はしていないが、過去個別画像データ選択ボタン、過去指示・要望（所定事項）画像データ選択ボタン、過去改変画像データ選択ボタン、編集画像データ選択ボタンを表示した過去画像データ選択画面がシステムサーバ１３Ａ，１３Ｂのディスプレイ画面１６に表示される。
【００７８】
ディスプレイ画面１６に表示された過去個別画像データ選択ボタンをクリックすると、図８に示す過去画像データ選択画面がシステムサーバ１３Ａ，１３Ｂのディスプレイ画面１６に表示される。過去画像データ選択画面には、過去画像データ表示エリア８ａ、過去変更画像データ表示エリア８ｂ、画像データ表示ボタン８ｃ、クリアボタン８ｄ、戻るボタン８ｅ、キャンセルボタン８ｆが表示される。
【００７９】
過去画像データ表示エリア８ａおよび過去変更画像データ表示エリア８ｂには、個別画像データ（選択画像データ）を表示するユーザーを入力するユーザー入力エリアと表示する個別画像データ（選択画像データ）の表示期間を入力する期間入力エリアが表示される。過去画像データ表示エリア８ａのユーザー入力エリアに特定のユーザーを入力（複数入力可）し、期間入力エリアに表示期間を入力し、画像データ表示ボタン８ｃをクリックする。
【００８０】
画像データ表示ボタン８ｃをクリックすると、図９に示す過去画像データ表示画面（個別画像データ）がシステムサーバ１３Ａ，１３Ｂのディスプレイ画面１６に表示される。図９の過去画像データ表示画面（個別画像データ）には、メイン画像データ表示エリア９ａ、サブ画像データ表示エリア９ｂ、画像データ切替ボタン９ｃ、戻るボタン９ｄ、キャンセルボタン９ｅ表示される。メイン画像データ表示エリア９ａには、ユーザーＡ（使用者Ａ）のノート型パソコン１１Ａのディスプレイ画面に過去に表示された個別画像データ（選択画像データ）の動画データや静止画データが表示され、サブ画像データ表示エリア９ｂには、ユーザーＡ（使用者Ａ）のノート型パソコン１１Ａのディスプレイ画面に過去に表示された他の表示期間の個別画像データ（選択画像データ）の動画データや静止画データが表示される（画像データ表示手段）。
【００８１】
画像データ出力システム１０は、ノート型パソコン１１Ａ，１１Ｂ，１１Ｃやタブレット１２Ａ，１２Ｂのディスプレイ画面１４，１５に現に表示されている個別画像データの履歴を残すことができ、過去の個別画像データをシステムサーバ１３Ａ，１３Ｂのディスプレイ画面１６に表示することで、過去の個別画像データを利用したそれらノート型パソコン１１Ａ，１１Ｂ，１１Ｃやタブレット１２Ａ，１２Ｂのディスプレイ画面１４，１５の使用者の作業の管理および監視の適否を判断することができる。
【００８２】
図１０は、システムサーバ１３Ａ，１３Ｂのディスプレイ画面１６に表示された指示（所定事項）画像データ送信画面の一例を示す図であり、図１１は、ノート型パソコン１１Ａのディスプレイ画面１４に表示された指示（所定事項）画像データ表示画面の一例を示す図である。図１２は、システムサーバ１３Ａ，１３Ｂのディスプレイ画面１６に表示された画像データ表示画面の他の一例を示す図であり、図１３は、システムサーバ１３Ａ，１３Ｂのディスプレイ画面１６に表示された過去画像データ表示画面の他の一例を示す図である。図１０〜図１３では、具体的な画像データの図示を省略している。
【００８３】
システムサーバ１３Ａ，１３Ｂは、管理者の指示等の所定の事項を表示した指示（所定事項）画像データをノート型パソコン１１Ａ，１１Ｂ，１１Ｃやタブレット１２Ａ，１２Ｂに送信することができる。指示（所定事項）画像データを送信するには、図６や図７の画像データ表示画面に表示された指示（所定事項）画像データ送信ボタン６ｄまたは指示（所定事項）画像データ送信ボタン７ｄをクリックする。指示（所定事項）画像データ送信ボタン６ｄ，７ｄをクリックすると、図１０に示す指示（所定事項）画像データ送信画面がシステムサーバ１３Ａ，１３Ｂのディスプレイ画面１６に表示される。図１０の指示（所定事項）画像データ送信画面には、指定ユーザー表示エリア１０ａ、指示（所定事項）データ入力エリア１０ｂ、指示（所定事項）データ送信ボタン１０ｃ、クリアボタン１０ｄ、戻るボタン１０ｅ、キャンセルボタン１０ｆが表示される。
【００８４】
管理者が所定のユーザーに指示（所定事項）データを送信するには、図１０の指示（所定事項）画像データ送信画面の指定ユーザー表示エリア１０ａにおいて指示データの送信対象のユーザーをクリックして反転させた後（複数選択可）、指示データ入力エリア１０ｂに指示（所定事項）画像データ（文字データ、図形データ、動画データ）を入力し、指示データ送信ボタン１０ｃをクリックする。なお、システムサーバ１３Ａにおいて指示（所定事項）画像データが入力され、指定ユーザー表示エリア１０ａにおいてユーザーＡが選択されたものとする。
【００８５】
指示データ送信ボタン１０ｃをクリックすると、システムサーバ１３Ａは、インターネット１７のネットワークプロトコルの上位層を除いた下位層における通信方式を利用し、指示データ入力エリア１０ｂに入力された指示画像データをノート型パソコン１１Ａに送信する（所定事項画像データ送信手段）。ノート型パソコン１１Ａは、インターネット１７のネットワークプロトコルの上位層を除いた下位層における通信方式を利用し、管理者の指示を表示した指示画像データをシステムサーバ１３Ａから受信する（所定事項画像データ受信手段）。
【００８６】
さらに、ノート型パソコン１１Ａは、システムサーバ１３Ａから受信した指示（所定事項）画像データをディスプレイ画面１４に表示する（所定事項画像データ表示手段）。ノート型パソコン１１Ａのディスプレイ画面１４には、図１１に示す指示（所定事項）画像データ表示画面が表示される。図１１の指示（所定事項）画像データ表示画面には、静止画や動画を表示しているＡエリア〜Ｄエリア、指示データ画像を表示する指示（所定事項）画像データ表示エリアが表示される。指示（所定事項）画像データは、ディスプレイ画面１４に現に表示されている個別画像データに表示される。
【００８７】
システムサーバ１３Ａ，１３Ｂは、ノート型パソコン１１Ａのディスプレイ画面１４に現に表示されている指示（所定事項）画像データを含む個別画像データをノート型パソコン１１Ａから受信し（画像データ送受信手段）、ノート型パソコン１１Ａのディスプレイ画面１４に現に表示されている指示（所定事項）画像データを含む個別画像データをディスプレイ画面１６に表示する（画像データ表示手段）。システムサーバ１３Ａ，１３Ｂのディスプレイ画面１６には、図１２に示す画像データ表示画面（指示（所定事項）データ）が表示される。
【００８８】
図１２の画像データ表示画面（指示（所定事項）データ）には、メイン画像データ表示エリア１２ａ、サブ画像データ表示エリア１２ｂ、画像データ切替ボタン１２ｃ、指示（所定事項）画像データ送信ボタン１２ｄ、画像データ変更ボタン１２ｅ、戻るボタン１２ｆ、キャンセルボタン１２ｇ表示される。メイン画像データ表示エリア６ａには、ユーザーＡ（使用者Ａ）のノート型パソコン１１Ａのディスプレイ画面に現に表示されているＡエリア〜Ｄエリア（個別画像データ（選択画像データ）の動画データや静止画データ）および指示（所定事項）データエリア（指示（所定事項）画像データ）が表示され（画像データ表示手段）、サブ画像データ表示エリア６ｂには、ユーザーＤ（使用者Ｄ）〜ユーザーＫ（使用者Ｋ）のノート型パソコン１１Ｂ，１１Ｃやタブレット１２Ａ，１２Ｂのディスプレイ画面に現に表示されている個別画像データ（選択画像データ）の動画データや静止画データが表示される。システムサーバ１３Ａ，１３Ｂは、ノート型パソコン１１Ａから受信したディスプレイ画面１４に現に表示されている指示（所定事項）画像データを記憶デバイスに記憶する（画像データ記憶手段）。
【００８９】
過去の指示（所定事項）画像データを表示するには、図２のメニュー画面（初期画面）の過去画像データ表示ボタン２ｅをクリックし、図示しない過去画像データ選択画面の過去指示（所定事項）画像データ選択ボタンをクリックする。過去指示（所定事項）画像データ選択ボタンをクリックすると、図８と同様の過去画像データ選択画面がシステムサーバ１３Ａ，１３Ｂのディスプレイ画面１６に表示される。過去画像データ表示エリアのユーザー入力エリアに特定のユーザー（ユーザーＡ）を入力（複数入力可）し、期間入力エリアに表示期間を入力し、画像データ表示ボタンをクリックする（図８参照）。
【００９０】
画像データ表示ボタンをクリックすると、図１３に示す過去画像データ表示画面（指示（所定事項）画像データ）がシステムサーバ１３Ａ，１３Ｂのディスプレイ画面１６に表示される。図１３の過去画像データ表示画面（指示（所定事項）画像データ）には、メイン画像データ表示エリア１３ａ、サブ画像データ表示エリア１３ｂ、画像データ切替ボタン１３ｃ、戻るボタン１３ｄ、キャンセルボタン１３ｅ表示される。メイン画像データ表示エリア１３ａには、ユーザーＡ（使用者Ａ）のノート型パソコン１１Ａのディスプレイ画面に過去に表示された指示（所定事項）画像データを含む個別画像データ（選択画像データ）の動画データや静止画データが表示され、サブ画像データ表示エリア１３ｂには、ユーザーＡ（使用者Ａ）のノート型パソコン１１Ａのディスプレイ画面１４に過去に表示された他の表示期間の指示画像データを含む個別画像データ（選択画像データ）の動画データや静止画データが表示される（画像データ表示手段）。
【００９１】
ノート型パソコン１１Ａ，１１Ｂ，１１Ｃやタブレット１２Ａ，１２Ｂは、インターネット１７のネットワークプロトコルの上位層を除いた下位層における通信方式を利用し、使用者の要望等の所定の事項を表示した要望（所定事項）画像データをシステムサーバ１３Ａ，１３Ｂに送信する（所定事項画像データ送信手段）。システムサーバ１３Ａ，１３Ｂは、インターネット１７のネットワークプロトコルの上位層を除いた下位層における通信方式を利用し、使用者の要望等の所定の事項を表示した要望（所定事項）画像データをノート型パソコン１１Ａ，１１Ｂ，１１Ｃやタブレット１２Ａ，１２Ｂから受信する（所定事項画像データ受信手段）。システムサーバ１３Ａ，１３Ｂは、ノート型パソコン１１Ａ，１１Ｂ，１１Ｃやタブレット１２Ａ，１２Ｂから受信した使用者の要望等の所定の事項を表示した要望（所定事項）画像データをディスプレイ画面１６に表示する（所定事項画像データ表示手段）。
【００９２】
画像データ出力システム１０は、管理者の指示等の所定の事項を表示した指示（所定事項）画像データをシステムサーバ１３Ａ，１３Ｂがノート型パソコン１１Ａ，１１Ｂ，１１Ｃやタブレット１２Ａ，１２Ｂに送信しつつ、使用者の要望等の所定の事項を表示した要望（所定事項）画像データを各ユーザー端末が管理端末に送信し、管理端末から受信した指定（所定事項）画像データを各ユーザー端末のディスプレイ画面に表示しつつ、各ユーザー端末から受信した要望（所定事項）画像データを管理端末のディスプレイ画面に表示することで、指示（所定事項）画像データを通じて適切な指示を行うことができ、使用者の作業の過誤を未然に防ぐことができる。さらに、使用者の要望を聞くことで使用者の作業効率を高めることができるとともに、使用者の作業を効率よく適正に進めさせることができる。
【００９３】
画像データ出力システム１０は、ノート型パソコン１１Ａ，１１Ｂ，１１Ｃやタブレット１２Ａ，１２Ｂのディスプレイ画面１４，１５に現に表示されている管理者の指示等の所定の事項を表示した指示（所定事項）画像データやノート型パソコン１１Ａ，１１Ｂ，１１Ｃやタブレット１２Ａ，１２Ｂから送信された使用者の要望等の所定の事項を表示した要望（所定事項）画像データの履歴を残すことができ、過去の指示（所定事項）画像データや要望（所定事項）画像データをシステムサーバ１３Ａ，１３Ｂのディスプレイ画面１６に表示することで、過去の指示（所定事項）画像データや要望（所定事項）画像データを利用したノート型パソコン１１Ａ，１１Ｂ，１１Ｃやタブレット１２Ａ，１２Ｂのディスプレイ画面１４，１５の使用者の作業の管理および監視の適否を判断することができる。
【００９４】
図１４は、システムサーバ１３Ａのディスプレイ画面１６に表示された変更ユーザー選択画面の一例を示す図であり、図１５は、システムサーバ１３Ａのディスプレイ画面１６に表示された変更画像データ送信画面の一例を示す図である。図１６は、ノート型パソコン１１Ａのディスプレイ画面１４に表示された変更画像データ表示画面の一例を示す図であり、図１７は、システムサーバ１３Ａのディスプレイ画面１６に表示された画像データ表示画面の他の一例を示す図である。図１８は、システムサーバ１３Ａのディスプレイ画面１６に表示された過去画像データ表示画面の他の一例を示す図である。図１４〜図１８では、具体的な画像データの図示を省略している。
【００９５】
システムサーバ１３Ａ，１３Ｂは、ノート型パソコン１１Ａ，１１Ｂ，１１Ｃやタブレット１２Ａ，１２Ｂのディスプレイ画面１４，１５に現に表示されている個別画像データ（選択画像データ）を改変（変更、削除、追加）し、改変した個別画像データ（選択画像データ）をノート型パソコン１１Ａ，１１Ｂ，１１Ｃやタブレット１２Ａ，１２Ｂのディスプレイ画面１４，１５表示させることができる。なお、システムサーバ１３Ａにおいて個別画像データ（選択画像データ）の改変が行われるものとする。
【００９６】
個別画像データ（選択画像データ）を改変するには、図６や図７、図１２の画像データ表示画面に表示された画像データ変更ボタン６ｅ，７ｅ，１２ｅをクリックする。画像データ変更ボタン６ｅ，７ｅ，１２ｅをクリックすると、図１４に示す変更ユーザー選択画面がシステムサーバ１３Ａ，１３Ｂのディスプレイ画面１６に表示される。図１４の変更ユーザー選択画面には、変更指定ユーザー選択エリア１４ａ、ユーザー選択実行ボタン１４ｂ、クリアボタン１４ｃ、戻るボタン１４ｄ、キャンセルボタン１４ｅが表示される。
【００９７】
管理者が所定のユーザーの個別画像データ（選択画像データ）を改変するには、図１４の変更ユーザー選択画面の変更指定ユーザー選択エリア１４ａにおいて個別画像データ（選択画像データ）の改変対象のユーザーをクリックして反転させた後（複数選択可）、ユーザー選択実行ボタン１４ｂをクリックする。なお、変更指定ユーザー選択エリア１４ａにおいてユーザーＡが選択されたものとする。ユーザー選択実行ボタン１４ｂをクリックすると、図１５に示す変更画像データ送信画面がシステムサーバ１３Ａのディスプレイ画面１６に表示される。
【００９８】
図１５の変更画像データ送信画面には、指定ユーザー画像データ表示エリア１５ａ、変更データ入力エリア１５ｂ、変更画像データ送信ボタン１５ｃ、クリアボタン１５ｄ、戻るボタン１５ｅ、キャンセルボタン１５ｆが表示される。指定ユーザー画像データ表示エリア１５ａには、ノート型パソコン１１Ａのディスプレイ画面１４に現に表示されている個別画像データ（選択画像データ）が表示される。
【００９９】
管理者は、指定ユーザー画像データ表示エリア１５ａにおいて、変更対象のエリアをクリックして選択する（複数選択可）。変更対象のエリアとしてＣエリアが選択されたものとする。変更対象のエリア（Ｃエリア）を選択すると、選択したエリアが変更データ入力エリア１５ｂに表示される。管理者は、変更データ入力エリア１５ｂに表示されたＣエリアの画像データを変更（文字データ、図形データ、動画データの変更）、削除（文字データ、図形データ、動画データの削除）、追加（文字データ、図形データ、動画データの追加）することによってＣエリアの画像データを改変した後、変更画像データ送信ボタン１５ｃをクリックする。
【０１００】
変更画像データ送信ボタン１５ｃをクリックすると、システムサーバ１３Ａは、ノート型パソコン１１Ａから受信したノート型パソコン１１Ａのディスプレイ画面１４に現に表示されている個別画像データを改変するとともに（画像データ改変手段）、インターネット１７のネットワークプロトコルの上位層を除いた下位層における通信方式を利用し、変更データ入力エリア１５ｂに入力された改変後の個別画像データ（静止画データや動画データ）をノート型パソコン１１Ａに送信する（画像データ送受信手段）。ノート型パソコン１１Ａは、インターネット１７のネットワークプロトコルの上位層を除いた下位層における通信方式を利用し、画像データ改変手段によって改変された改変後の個別画像データをシステムサーバ１３Ａから受信する（画像データ送受信手段）。
【０１０１】
さらに、ノート型パソコン１１Ａは、システムサーバ１３Ａから受信した改変後の個別画像データ（静止画データや動画データ）をディスプレイ画面１４に表示する（改変画像データ表示手段）。ノート型パソコン１１Ａのディスプレイ画面１４には、図１６に示す変更画像データ表示画面が表示される。図１６の変更画像データ表示画面には、静止画や動画を表示している改変後のＣエリアを含むＡエリア〜Ｄエリアが表示される。改変後のＣエリアは、ディスプレイ画面１４に現に表示されている個別画像データに表示される。
【０１０２】
システムサーバ１３Ａ，１３Ｂは、ノート型パソコン１１Ａのディスプレイ画面１４に現に表示されている改変後の個別画像データを含む個別画像データをノート型パソコン１１Ａから受信し（画像データ送受信手段）、ノート型パソコン１１Ａのディスプレイ画面１４に現に表示されている改変後の個別画像データを含む個別画像データをディスプレイ画面１６に表示する（画像データ表示手段）。システムサーバ１３Ａ，１３Ｂのディスプレイ画面１６には、図１７に示す画像データ表示画面が表示される。図１７の画像データ表示画面（変更データ）には、メイン画像データ表示エリア１７ａ，１７ｂ、サブ画像データ表示エリア１７ｃ、画像データ切替ボタン１７ｄ、画像データ変更ボタン１７ｅ、戻るボタン１７ｆ、キャンセルボタン１７ｇ表示される。
【０１０３】
メイン画像データ表示エリア１７ａには、ユーザーＡ（使用者Ａ）のノート型パソコン１１Ａのディスプレイ画面に表示されていた改変前のＡエリア〜Ｄエリア（個別画像データ（選択画像データ）の動画データや静止画データ）が表示される。メイン画像データ表示エリア１７ｂには、ユーザーＡ（使用者Ａ）のノート型パソコン１１Ａのディスプレイ画面に現に表示されている改変後のＣエリアを含むＡエリア〜Ｄエリア（個別画像データ（選択画像データ）の動画データや静止画データ）が表示される（画像データ表示手段）。サブ画像データ表示エリア１７ｃには、ユーザーＤ（使用者Ｄ）〜ユーザーＫ（使用者Ｋ）のノート型パソコン１１Ｂ，１１Ｃやタブレット１２Ａ，１２Ｂのディスプレイ画面に現に表示されている個別画像データ（選択画像データ）の動画データや静止画データが表示される。
【０１０４】
システムサーバ１３Ａ，１３Ｂは、ノート型パソコン１１Ａから受信したディスプレイ画面１４に現に表示されている改変後のＣエリアを含む個別画像データ（選択画像データ）を記憶デバイスに記憶する（画像データ記憶手段）。画像データ出力システム１０は、ノート型パソコン１１Ａ，１１Ｂ，１１Ｃやタブレット１２Ａ，１２Ｂのディスプレイ画面１４，１５に現に表示されている個別画像データ（選択画像データ）を管理者がシステムサーバ１３Ａ，１３Ｂを介して改変することで、使用者の作業の過誤を是正することができ、使用者の作業を迅速かつ適正に進めさせることができる。
【０１０５】
過去の改変後の個別画像データ（選択画像データ）を表示するには、図２のメニュー画面（初期画面）の過去画像データ表示ボタン２ｅをクリックし、図示しない過去画像データ選択画面の過去改変画像データ選択ボタンをクリックする。過去改変画像データ選択ボタンをクリックすると、図８と同様の過去画像データ選択画面がシステムサーバ１３Ａ，１３Ｂのディスプレイ画面１６に表示される。過去画像データ表示エリアのユーザー入力エリアに特定のユーザー（ユーザーＡ）を入力（複数入力可）し、期間入力エリアに表示期間を入力し、画像データ表示ボタンをクリックする（図８参照）。
【０１０６】
画像データ表示ボタンをクリックすると、図１８に示す過去画像データ表示画面（変更画像データ）がシステムサーバ１３Ａ，１３Ｂのディスプレイ画面１６に表示される。図１８の過去画像データ表示画面（変更画像データ）には、メイン画像データ表示エリア１８ａ、サブ画像データ表示エリア１８ｂ、画像データ切替ボタン１８ｃ、戻るボタン１８ｄ、キャンセルボタン１８ｅ表示される。メイン画像データ表示エリア１８ａには、ユーザーＡ（使用者Ａ）のノート型パソコン１１Ａのディスプレイ画面に過去に表示された改変後の個別画像データ（選択画像データ）の動画データや静止画データが表示され、サブ画像データ表示エリア１８ｂには、ユーザーＡ（使用者Ａ）のノート型パソコン１１Ａのディスプレイ画面１４に過去に表示された他の表示期間の改変後の個別画像データ（選択画像データ）の動画データや静止画データが表示される（画像データ表示手段）。
【０１０７】
画像データ出力システムは、ノート型パソコン１１Ａ，１１Ｂ，１１Ｃやタブレット１２Ａ，１２Ｂのディスプレイ画面１４，１５に現に表示されている改変後の個別画像データの履歴を残すことができ、過去の改変後の個別画像データをシステムサーバ１３Ａ，１３Ｂのディスプレイ画面１６に表示することで、過去の改変後の個別画像データを利用したそれらノート型パソコン１１Ａ，１１Ｂ，１１Ｃやタブレット１２Ａ，１２Ｂの使用者の作業の管理および監視の適否を判断することができる。
【０１０８】
図１９は、システムサーバ１３Ａのディスプレイ画面１６に表示された画像データ編集画面の一例を示す図であり、図２０は、システムサーバ１３Ａのディスプレイ画面１６に表示された画像データ表示画面の他の一例を示す図である。図２１は、システムサーバ１３Ａのディスプレイ画面１６に表示された画像データ表示画面の他の一例を示す図である。図１９〜図２１では、具体的な画像データの図示を省略している。なお、システムサーバ１３Ａにおいて個別画像データ（選択画像データ）の編集が行われるものとする。
【０１０９】
システムサーバ１３Ａ，１３Ｂは、画像データ記憶手段によって記憶された過去の個別画像データ（選択画像データ）を日付毎に一纏めに纏める日付纏め編集、過去の個別画像データ（選択画像データ）を各ユーザー毎に一纏めに纏めるユーザー纏め編集、過去の個別画像データ（選択画像データ）から静止画のみを抽出してそれら静止画を一纏めに纏める静止画纏め編集、過去の個別画像データ（選択画像データ）から動画のみを抽出してそれら動画を一纏めに纏める動画纏め編集、過去の個別画像データ（選択画像データ）から静止画および動画を抽出してそれら静止画および動画を一纏めに纏める静止画・動画纏め編集、過去の個別画像データ（選択画像データ）から所定ジャンルの画像データを抽出してそれら所定ジャンルの画像データを一纏めに纏めるジャンル纏め編集等の画像データ編集（それら編集の１つまたはそれら編集の組み合わせ）を行うことができる。なお、編集は図１９に図示のそれらに限定されず、他のあらゆる編集作業を含む。
【０１１０】
個別画像データ（選択画像データ）を編集するには、図２のメニュー画面（初期画面）の画像データ編集ボタン２ｅをクリックする。画像データ編集ボタン２ｅをクリックすると、図１９に示す画像データ編集画面がシステムサーバ１３Ａ，１３Ｂのディスプレイ画面１６に表示される。図１９の画像データ編集画面には、日付選定エリア１９ａ、ユーザー選定エリア１９ｂ、静止画・動画選定エリア１９ｃ、ジャンル選定エリア１９ｄ、画像データ編集実行ボタン１９ｅ、クリアボタン１９ｆ、戻るボタン１９ｇ、キャンセルボタン１９ｈが表示される。
【０１１１】
日付纏め編集を行う場合、日付選定エリア１９ａにおいて日付を選定し、日付条件を設定する。ユーザー纏め編集を行う場合、ユーザー選定エリア１９ｂにおいてユーザーを選定し、ユーザー条件を設定する。静止画・動画纏め編集を行う場合、静止画・動画選定エリア１９ｃにおいて静止画・動画を選定し、静止画・動画条件を設定する。ジャンル纏め編集を行う場合、ジャンル選定エリア１９ｄにおいてジャンルを選定し、ジャンル条件を設定する。それら条件は、ＯＲ条件で設定することができるとともに、ＡＮＤ条件で設定することができる。
【０１１２】
それら条件を設定した後、図１９の画像データ編集画面の画像データ編集実行ボタン１９ｅをクリックする。画像データ編集実行ボタン１９ｅをクリックすると、システムサーバ１３Ａは、画像データ記憶手段によって記憶された個別画像データから設定された条件に合致した個別画像データを抽出し、抽出した個別画像データを設定条件にしたがって編集する（画像データ編集手段）。システムサーバ１３Ａは、画像データ編集手段によって個別画像データを編集した後、編集画像データをディスプレイ画面１６に表示する（画像データ表示手段）。さらに、画像データ編集手段によって編集した編集画像データ（編集後の個別画像データ）を記憶デバイスに記憶する（画像データ記憶手段）。
【０１１３】
システムサーバ１３Ａのディスプレイ画面１６には、図２０に示す画像データ表示画面（編集データ）が表示される。図２０の画像データ表示画面（編集データ）には、編集画像データ表示エリア２０ａ、画像データ編集ボタン２０ｂ、戻るボタン２０ｃ、キャンセルボタン２０ｄが表示される。編集画像データ表示エリア２０ａには、ユーザーＡの各設定日付における設定ジャンルの静止画が表示されている。画像データ編集ボタン２０ｂをクリックすると、図１９の画像データ編集画面がシステムサーバ１３Ａ，１３Ｂのディスプレイ画面１６に表示される。
【０１１４】
画像データ出力システム１０は、システムサーバ１３Ａ，１３Ｂの記憶デバイスに記憶された過去の個別画像データ（選択画像データ）を日付毎に一纏めに纏める日付纏め編集、過去の個別画像データ（選択画像データ）を各ユーザー毎に一纏めに纏めるユーザー纏め編集、過去の個別画像データ（選択画像データ）から静止画のみを抽出してそれら静止画を一纏めに纏める静止画纏め編集、過去の個別画像データ（選択画像データ）から動画のみを抽出してそれら動画を一纏めに纏める動画纏め編集、過去の個別画像データ（選択画像データ）から静止画および動画を抽出してそれら静止画および動画を一纏めに纏める静止画・動画纏め編集、過去の個別画像データ（選択画像データ）から所定ジャンルの画像データを抽出してそれら所定ジャンルの画像データを一纏めに纏めるジャンル纏め編集等の画像データ編集（それら編集の１つまたはそれら編集の組み合わせ）を行うことで、個別画像データを見易くすることができ、編集された編集画像データを利用してそれらユーザー端末の使用者の作業を有効かつ適正に管理および監視することができる。
【０１１５】
過去の編集画像データ（編集後の個別画像データ）を表示するには、図２のメニュー画面（初期画面）の編集画像データ表示ボタン２ｆをクリックし、図示しない過去画像データ選択画面の過去編集画像データ選択ボタンをクリックする。過去編集画像データ選択ボタンをクリックすると、図８と同様の過去画像データ選択画面がシステムサーバ１３Ａ，１３Ｂのディスプレイ画面１６に表示される。過去画像データ表示エリアのユーザー入力エリアに特定のユーザー（ユーザーＡ）を入力（複数入力可）し、期間入力エリアに表示期間を入力し、画像データ表示ボタンをクリックする（図８参照）。
【０１１６】
画像データ表示ボタンをクリックすると、図２１に示す過去画像データ表示画面（編集画像データ）がシステムサーバ１３Ａ，１３Ｂのディスプレイ画面１６に表示される。図２１の過去画像データ表示画面（編集画像データ）には、編集画像データ表示エリア２１ａ，２１ｂ、画像データ編集ボタン２１ｃ、戻るボタン２１ｄ、キャンセルボタン２１ｅが表示される。編集画像データ表示エリア２１ａには、ユーザーＡの各設定日付における設定ジャンルの静止画が表示されている。編集画像データ表示エリア２１ｂには、ユーザーＤの設定ジャンルの動画が表示されている。画像データ編集ボタン２１ｃをクリックすると、図１９の画像データ編集画面がシステムサーバ１３Ａ，１３Ｂのディスプレイ画面１６に表示される。
【符号の説明】
【０１１７】
１０    画像データ出力システム
１１Ａ〜Ｃ  ノート型パソコン（ユーザー端末）
１２Ａ，Ｂ  タブレット（ユーザー端末）
１３Ａ，Ｂ  システムサーバ（管理端末）
１４    ディスプレイ
１５    ディスプレイ
１６    ディスプレイ
１７    インターネット
【図１】
2018132950.tif 000003
【図２】
2018132950.tif 000004
【図３】
2018132950.tif 000005
【図４】
2018132950.tif 000006
【図５】
2018132950.tif 000007
【図６】
2018132950.tif 000008
【図７】
2018132950.tif 000009
【図８】
2018132950.tif 000010
【図９】
2018132950.tif 000011
【図１０】
2018132950.tif 000012
【図１１】
2018132950.tif 000013
【図１２】
2018132950.tif 000014
【図１３】
2018132950.tif 000015
【図１４】
2018132950.tif 000016
【図１５】
2018132950.tif 000017
【図１６】
2018132950.tif 000018
【図１７】
2018132950.tif 000019
【図１８】
2018132950.tif 000020
【図１９】
2018132950.tif 000021
【図２０】
2018132950.tif 000022
【図２１】
2018132950.tif 000023